(57)【要約】【課題】パラペットの高さにかかわらず、排水溝の排水性能を維持しつつオーバーフロー管部をパラペットに簡単かつ適正に設置する。【解決手段】水勾配を有する陸屋根上面２１と、陸屋根上面２１の周囲に立設されたパラペット２２を有する建物の外部床構造においてパラペット２２と陸屋根上面２１との隅部に設けられるオーバーフロー装置４１において、陸屋根上面２１の水勾配部３０の水下端部からパラペット２２の基部に向けて延設し、パラペット２２の基部からパラペット２２に沿って立ち上がる排水溝部５０と、当該排水溝部５０の立上り部６３に形成され、パラペット２２を貫通するオーバーフロー管部５１と、を有している。【選択図】図３
2010043410.tif 000002
【特許請求の範囲】
【請求項１】
水勾配を有する床面と、当該床面の周囲に立設された立上り壁とを有する建物の外部床構造において前記立上り壁と前記床面との隅部に設けられるオーバーフロー装置であって、
前記床面の水勾配の水下端部から前記立上り壁の基部に向けて延設し、前記立上り壁の基部から当該立上り壁に沿って立ち上がる排水溝部と、
当該排水溝部の立上り部に形成され、前記立上り壁を貫通するオーバーフロー管部と、を有することを特徴とする、オーバーフロー装置。
【請求項２】
前記排水溝部は、前記床面の水勾配の水下端部側から前記立上り壁の基部に向けて低くなる傾斜部と、前記傾斜部と前記立上り部とを接続する湾曲接続部とを有し、
前記傾斜部の傾斜は、前記床面の水勾配よりも急勾配に形成されていることを特徴とする、請求項１に記載のオーバーフロー装置。
【請求項３】
前記オーバーフロー管部は、その流入口の下端部が前記傾斜部の上端部より僅かに高い位置より低くなるように設けられていることを特徴とする、請求項２に記載のオーバーフロー装置。
【請求項４】
前記オーバーフロー管部は、前記立上り壁に形成される貫通孔に挿通された状態で設けられ、前記オーバーフロー管部の外周面の軸方向の中途部には、軸心から離間する方向に突出して前記貫通孔の内周面に当接又は隙間を介して対向する鍔部が形成されていることを特徴とする、請求項１〜３のいずれかに記載のオーバーフロー装置。
【請求項５】
前記オーバーフロー管部は、前記排水溝部の立上り部の上端部に形成される一の管部形成部と、当該一の管部形成部に対し軸方向に連結可能な他の管部形成部により形成されていることを特徴とする、請求項１〜４のいずれかに記載のオーバーフロー装置。
【請求項６】
床面に形成された水勾配部と、
前記床面と前記床面の周囲に立設された立上り壁との隅部に形成され、前記水勾配部から水が流れ込む排水溝と、
を有する建物の外部床の排水構造であって、
前記排水溝は、溝形成方向に並列される複数の排水溝形成部材と、前記複数の排水溝形成部材のうちの特定の排水溝形成部材の間に連結されるオーバーフロー装置と、を有し、
前記オーバーフロー装置は、前記床面の水勾配部の水下端部側から前記立上り壁の基部に向けて延設し、前記立上り壁の基部から当該立上り壁に沿って立ち上がる排水溝部と、当該排水溝部の立上り部に形成され、前記立上り壁を貫通するオーバーフロー管部と、を有し、
前記排水溝形成部材と前記オーバーフロー装置との継目には、防水シートが被装されていることを特徴とする、建物の外部床の排水構造。
【発明の詳細な説明】
【技術分野】
【０００１】
本発明は、住宅等の建物のベランダ腰壁下部の排水部分や陸屋根のパラペット基端部の排水部分に設けられるオーバーフロー装置及び当該オーバーフロー装置を用いた建物の外部床の排水構造に関するものである。
【背景技術】
【０００２】
従来、ベランダや陸屋根の建物の外部床の排水は、排水溝にドレンを設け、該ドレンを通じて行われている。また、当該ドレンによる排水処理能力よりも多量の排水が排水溝に流れ込む場合や排水溝のドレンの竪樋が詰まってしまった場合には、ベランダや陸屋根の排水溝内の水嵩が増加するので、一定以上の水嵩の増加を防止する目的で、排水溝にオーバーフロー装置が設けられているものが知られている。
【０００３】
例えば特許文献１には、ベランダ腰壁下部に設けた上部鋼板と、ベランダ床面から該ベランダ腰壁下部に延長された下部鋼板とを有し、上部鋼板と下部鋼板とに防水シートを溶着または接着したベランダ腰壁下部の防水構造であって、上部鋼板にベランダ腰壁を貫通するオーバーフロー管を設けたものが開示されている。
【０００４】
【特許文献１】特開２００４−１９０３７８号公報
【発明の開示】
【発明が解決しようとする課題】
【０００５】
しかしながら、上記特許文献１の技術は、上部鋼板にオーバーフロー管を設ける一方、下部鋼板によって排水溝を形成する構成であるため、ベランダ腰壁の意匠性の向上等を図るべく当該ベランダ腰壁の高さの短小化を図っていくと、上部鋼板の設置位置を下げざるを得ず、上部鋼板と下部鋼板とが互いに重なって干渉することになる。このため、下部鋼板に切り欠き等を形成しなければ、オーバーフロー管を設置することができず、施工性の悪化のみならず、下部鋼板により形成される排水溝の排水性能の低下や腰壁との間での止水性の悪化を招くおそれがあった。
【０００６】
本発明は、かかる点に鑑みてなされたものであり、ベランダ腰壁などの建物の立上り壁の高さにかかわらず、排水溝の排水性能を維持しつつオーバーフロー管部を立上り壁に簡単かつ適正に設置できるオーバーフロー装置及び建物の外部床の排水構造を提供することをその目的とする。
【課題を解決するための手段】
【０００７】
上記目的を達成するための本発明は、水勾配を有する床面と、当該床面の周囲に立設された立上り壁とを有する建物の外部床構造において前記立上り壁と前記床面との隅部に設けられるオーバーフロー装置であって、前記床面の水勾配の水下端部から前記立上り壁の基部に向けて延設し、前記立上り壁の基部から当該立上り壁に沿って立ち上がる排水溝部と、当該排水溝部の立上り部に形成され、前記立上り壁を貫通するオーバーフロー管部と、を有することを特徴とする。
【０００８】
本発明によれば、排水溝部の立上り部にオーバーフロー管部が形成されているので、建物の立上り壁の高さにかかわらず、排水溝の排水性能を維持しつつオーバーフロー管部を簡単かつ適正に設置できる。
【０００９】
前記排水溝部は、前記床面の水勾配の水下端部側から前記立上り壁の基部に向けて低くなる傾斜部と、前記傾斜部と前記立上り部とを接続する湾曲接続部とを有し、前記傾斜部の傾斜は、前記床面の水勾配よりも急勾配に形成されていてもよい。かかる場合、簡易な構成で排水溝部を形成でき、オーバーフロー装置の設置が簡単になる。また、傾斜部により、床面から排水溝部への水の誘導を適正に行うことができる。
【００１０】
前記オーバーフロー管部は、その流入口の下端部が前記傾斜部の上端部より僅かに高い位置より低くなるように設けられていてもよい。かかる場合、床面上で水勾配部の全体を水没させるほどに水位が上昇してしまうことを防止して、水勾配部の水上側で水に足元を濡らすことなく歩行することが可能となる。なお、僅かに高い位置には、傾斜部の上端部より２ｃｍ程度高いものまでが含まれる。
【００１１】
前記オーバーフロー管部は、前記立上り壁に形成される貫通孔に挿通された状態で設けられ、前記オーバーフロー管部の外周面の軸方向の中途部には、軸心から離間する方向に突出して前記貫通孔の内周面に当接又は隙間を介して対向する鍔部が形成されていてもよい。かかる場合、オーバーフロー管部が立上り壁の貫通孔に取り付けられる際に、貫通孔とオーバーフロー管部との隙間に充填されるシーリング材が鍔部で受け止められるので、シーリング材を貫通孔の奥まで充填する必要がなく、オーバーフロー管部の取り付け作業が容易になる。また、シーリング材の消費量を低減できる。
【００１２】
前記オーバーフロー管部は、前記排水溝部の立上り部の上端部に形成される一の管部形成部と、当該一の管部形成部に対し軸方向に連結可能な他の管部形成部により形成されていてもよい。かかる場合、例えばオーバーフロー管部を成形する際に、排水溝部と一体成形する部分と別に成形する部分を分けることができ、オーバーフロー管部が複雑な形状を有する場合であっても適正に成形できる。また、立上り壁の厚さが装置の取付位置によって異なる場合でも、例えば長さを当該厚さにあわせた前記他の管部形成部を前記一の管部形成部に連結することで当該立上り壁の厚さに対応することができる。また、オーバーフロー管部の設置も容易に行うことができる。なお、他の管部形成部は、複数あってもよい。複数ある場合、他の管部成形部には、一の管部形成部に対し直接連結されず、ほかの他の管部形成部を介して間接的に連結されるものも含まれる。
【００１３】
別の観点による本発明は、床面に形成された水勾配部と、前記床面と前記床面の周囲に立設された立上り壁との隅部に形成され、前記水勾配部から水が流れ込む排水溝と、を有する建物の外部床の排水構造であって、前記排水溝は、溝形成方向に並列される複数の排水溝形成部材と、前記複数の排水溝形成部材のうちの特定の排水溝形成部材の間に連結されるオーバーフロー装置と、を有し、前記オーバーフロー装置は、前記床面の水勾配部の水下端部側から前記立上り壁の基部に向けて延設し、前記立上り壁の基部から当該立上り壁に沿って立ち上がる排水溝部と、当該排水溝部の立上り部に形成され、前記立上り壁を貫通するオーバーフロー管部と、を有し、前記排水溝形成部材と前記オーバーフロー装置との継目には、防水シートが被装されていることを特徴とする。
【００１４】
本発明によれば、排水溝部の立上り部にオーバーフロー管部が形成されているので、建物の立上り壁の高さにかかわらず、排水溝の排水性能を維持しつつオーバーフロー管部を簡単かつ適正に設置できる。
【発明の効果】
【００１５】
本発明によれば、建物の立上り壁の高さにかかわらず、排水溝の排水性能を維持しつつオーバーフロー管部を簡単かつ適正に設置することができる。
【発明を実施するための最良の形態】
【００１６】
以下、図面を参照して、本発明の好ましい実施の形態について説明する。図１（ａ）、（ｂ）は、本実施の形態にかかるオーバーフロー装置が設置される、建物の外部床としての陸屋根の排水構造１の一例を示す模式図である。
【００１７】
例えば陸屋根１０は、居室２となるペントハウスの周囲に形成されており、居室２の外壁２０から外側に向けて形成された床面としての陸屋根上面２１と、当該陸屋根上面２１の外周に形成された立上り壁としてのパラペット２２を有している。例えば陸屋根上面２１の平面形状は、陸屋根上面２１の外周に沿って形成されたパラペット２２によって規定された四角の外形と、当該外形の中に居室２によって規定された四角の内形とを有する四角リング状に形成されている。
【００１８】
該陸屋根１０に形成される排水構造１は、例えば陸屋根上面２１の中央付近が高く外壁２０側とパラペット２２側が低くなっている水勾配部３０と、当該水勾配部３０の両側の水下端部に接続され、水勾配部３０から水が流れ込む排水溝３１とを有している。
【００１９】
水勾配部３０は、陸屋根上面２１の内周側の居室２の外壁２０側に水下部３０ａを備え、当該水下部３０ａは、外壁２０に沿って高低差のない水平に形成されている。この水下部３０ａと外壁２０との間に排水溝３１が設けられている。また、水勾配部３０は、陸屋根上面２１の外周部のパラペット２２側に水下部３０ｂを備え、当該水下部３０ｂは、パラペット２２に沿って高低差のない水平に形成されている。この水下部３０ｂとパラペット２２との間にも排水溝３１が設けられている。
【００２０】
排水溝３１は、例えば外壁２０とパラペット２２に沿って水平に形成されており、溝の形成方向に勾配のない、いわゆる零勾配に形成されている。このため、排水溝３１に於ける排水は、重力による自然流下ではなく水位の上昇に起因して流下することになる。このようないわゆる零勾配の場合、溝の形成方向に排水溝３１のレベルが変わらないので、排水溝３１を構成する各種部品の統一化をはかることができる。
【００２１】
居室２側の排水溝３１とパラペット２２側の排水溝３１とは、例えば連通排水溝２３によって連通されている。居室２側の水下部３０ａとパラペット２２側の水下部３０ｂのレベルは同等であり、これらの水下部３０ａ、３０ｂに沿って設けた排水溝３１のレベルも同じになっている。排水溝３１や連通排水溝２３には、排水竪樋３５が接続されており、当該排水竪樋３５から建物の外部に排水される。なお、居室２側の排水溝３１とパラペット２２側の排水溝３１とが、夫々独立して排水し得るように構成されている場合には、両者のレベルは同等でなくてもよい。
【００２２】
上記の如く、陸屋根上面２１には、居室２の周囲に水下部３０ａと排水溝３１とが形成され、パラペット２２の内周に沿って水下部３０ｂと排水溝３１とが形成されている。このため、陸屋根上面２１の居室２の周囲とパラペット２２の内周の位置が最もレベルが低く設定され、これらの位置に形成された水下部３０ａ、３０ｂを起点として登り勾配の水勾配を持った斜面１０ａ〜１０ｊが形成されている。これらの斜面１０ａ〜１０ｊの交叉部には、稜線１１ａ〜１１ｆが形成され、更に、稜線１１ａ〜１１ｆの交点から山線１２ａ〜１２ｇ、及び谷線１３ａ〜１３ｃが形成されている。
【００２３】
居室２側の水下部３０ａとパラペット２２側の水下部３０ｂと稜線１１ａ〜１１ｆとの高さの差は、例えば陸屋根上面２１に於ける並行（対向）する水下部の間の距離の１／２の寸法と水勾配（約１／１００〜約２／１００）によって設定されている。例えば、対向する水下部３０ａ、３０ｂ間の距離が３６０cmで、水勾配が１／１００である場合、稜線の高さは１８mmとなる。
【００２４】
図２は、パラペット２２側の排水構造１の構成の概略を示す説明図である。排水溝３１は、パラペット２２と陸屋根上面２１が当たる隅部に沿って形成されており、溝の形成方向に並列された複数の排水溝形成部材４０と、特定の２つの排水溝形成部材４０の間に連結されるオーバーフロー装置４１を有している。
【００２５】
オーバーフロー装置４１は、例えば図２及び図３に示すように排水溝３１を形成する排水溝部５０と、排水溝部５０の水が所定の水嵩を超えたときにパラペット２２を通して水を排出するオーバーフロー管部５１を一体に有している。
【００２６】
排水溝部５０は、例えば陸屋根上面２１の水勾配部３０の水下端部に接続される板状の平坦部６０と、当該平坦部６０のパラペット２２側の端部に接続され、陸屋根上面２１側からパラペット２２の基部に向けて低くなる板状の傾斜部６１と、傾斜部６１のパラペット２２側の端部に接続され、下に凸に湾曲する板状の湾曲接続部６２と、湾曲接続部６２のパラペット２２側の端部に接続され、パラペット２２の基部からパラペット２２に沿って立ち上がる板状の立上り部６３とを一体に有している。また、排水溝部５０は、図３に示すように例えば本体の下方に突出する４本の角柱状の脚部６４を備えている。
【００２７】
傾斜部６１の傾斜は、陸屋根上面２１の水勾配部３０より急勾配に形成されている。平坦部６０、傾斜部６１、湾曲接続部６２及び立上り部６３は、連続的に滑らかに接続されており、水勾配部３０の水が平坦部６０及び傾斜部６１上を流れて誘導され、湾曲接続部６２付近の溝底部に流れ込む。平坦部６０と立上り部６３には、後述する防水シートを固定するためのネジ穴６５が形成されている。また、傾斜部６１の下面には、図４に示すように脚部６４より短い支持部材６１ａが取り付けられている。
【００２８】
立上り部６３の上端部には、図３に示すようにパラペット２２側に突出する段部６３ａが形成されている。この段部６３ａを、図２に示すパラペット２２に長手方向に形成された溝２２ａに嵌め込み、その上からシール材Ａを埋め込むことにより、立上り部６３をパラペット２２に固定できる。図３に示すように立上り部６３の上端部の中央には、オーバーフロー管部５１が形成されている。オーバーフロー管部５１は、軸が水平方向に向けられ、立上り部６３の上端部から半円状に突出するように形成されている。
【００２９】
オーバーフロー管部５１は、図５に示すように立上り部６３の上端部に形成される一の管部形成部材としての円状の孔部７０と、孔部７０に軸方向に連結可能な他の管部形成部としての管部本体７１、グレーチング部７２及びエンドキャップ部７３により形成されている。
【００３０】
孔部７０は、排水溝部５０と一体成形されており、立上り部６３に直接的に形成されている。孔部７０の外周面の軸方向の外側（パラペット２２の外側）端部には、軸心から離間する方向に突出する半円弧状の鍔部７０ａが形成されている。鍔部７０ａは、孔部７０がパラペット２２の後述する貫通孔８１に嵌め込まれた際に、貫通孔８１の内周面に当接するか、貫通孔８１の内周面に僅かな隙間を介して対向するように形成されている。
【００３１】
管部本体７１、グレーチング部７２及びエンドキャップ部７３は、それぞれが別個に成形されている。孔部７０にパラペット２２の外側から管部本体７１を嵌め込み、逆の内側からグレーチング部７２を嵌め込み、さらに管本体部７１に外側からエンドキャップ部７３を嵌め込むことにより、オーバーフロー管部５１を組み立てることができる。
【００３２】
オーバーフロー管部５１の立上り部６３に対する上下方向の取り付け位置は、管路の下端部が傾斜部６１の上端部より僅かに高い位置になるように設定されている。なお、このオーバーフロー管部５１の取り付け位置は、管路の下端部が傾斜部６１の上端部より僅かに高い位置より低ければ、傾斜部６１の上端部と同一であっても、それより低くてもよい。
【００３３】
図２に示すように溝形成部材４０は、例えばオーバーフロー装置４１の排水溝部５０と同様の構成を有し、パラペット２２の基部に沿ってオーバーフロー装置４１の両側に連結することによって溝が形成されている。なお、オーバーフロー装置４１が不要な部分には、溝形成部材４０同士が並べて連結されている。
【００３４】
次に、オーバーフロー装置４１の排水構造１への具体的な設置例を説明する。図４に示すように本実施の形態においてパラペット２２は、陸屋根上面２１より上方に突出した外壁パネル８０を有している。外壁パネル８０には、内側から外側に水平に貫通する貫通孔８１が形成されている。
【００３５】
外壁パネル８０の内側には、軽量気泡コンクリート（ＡＬＣ）からなる床板８２と、該床板８２の上面に敷設される断熱板８３と、該断熱板８３の上面に敷設される傾斜板８４と、該傾斜板８３上に敷設される上板８５と、該上板８５を覆って設けられる防水シート８６とが設けられている。また、床板８２の外面と外壁パネル８０の内面との間には、隙間が形成され、当該隙間にモルタル８７が充填されている。床板８２は、端部を梁８８に載置させることで当該梁８８に支持されており、外壁パネル８０も金物（図示省略）を介して梁８８に支持されている。断熱板８３は、床板８２及びモルタル８７の上面を覆って設けられ、例えば外壁パネル８０の内側の全面に亘り敷設されている。傾斜板８４及び上板８５は、外壁パネル８０の近傍部分を除いた領域、つまり排水溝部３１が設置される隅部を除いた領域に敷設されている。傾斜板８４は、陸屋根上面２１の中央側から外壁パネル８０側に向けて厚みが薄くなっており、これにより水勾配部３０の勾配が形成されている。なお、本実施の形態において、水勾配部３０は、例えば傾斜板８４、上板８５及び防水シート８６により構成されている。
【００３６】
排水溝部５０の脚部６４は、断熱板８３を貫通し、床板８２に達している。つまり、排水溝部５０は、断熱板８３より強度が高く硬い床板８２に支持され、脚部６４の周りに充填された断熱板８３により位置も固定されている。また、傾斜部６１の支持部材６１ａは、断熱板８３上に支持されている。
【００３７】
防水シート８６は、排水溝部５０の平坦部６０上まで延設されている。また、排水溝部５０上には、隣り合う構形成部材４０との継ぎ目をシールする密水シート９０が設けられている。密水シート９０は、平坦部６０から傾斜部６１、湾曲接続部６２及び立上り部６３に亘って形成され、さらに図２に示すように立上り部６３の上方のパラペット２２の内壁面まで延設されている。図４に示すように防水シート８６と密水シート９０は、例えば平坦部６０上で重なっておりネジ９１によって平坦部６０に固定されている。また密水シート９０は、立上り部６３に対してもネジ９１（図２に示す）によって固定されている。該ネジ９１は、平坦部６０から床板８２に向けてねじ込まれており、これによって、ネジ９１は床板８２に対し垂直にねじ込まれ、ネジ９１によるオーバーフロー装置４１の固定が確実なものとなる。
【００３８】
オーバーフロー管部５１の孔部７０は、パラペット２２の貫通孔８１に嵌め込まれ、パラペット２２の内側から孔部７０の鍔部７０ａがある溝にシーリング材Ａを埋め込むことによって、貫通孔８１とオーバーフロー管路５１との隙間がシールされている。孔部７０に対しては、内側にグレーチング部７２、外側に管部本体７１及びエンドキャップ部７３が取り付けられている。パラペット２２の外側からは、貫通孔８１とオーバーフロー管路５１との隙間にシールリング１００が嵌め込まれ、そのシールリング１００に対してシーリング材Ａが埋め込まれている。
【００３９】
以上のように構成された排水構造１では、図２に示すように陸屋根１０の屋根上面２１上の水が水勾配部３０を流れ、排水溝３１に流れ込む。そしてオーバーフロー装置４１の排水溝部５０では、傾斜部６１の勾配により水が誘導され、最も深い湾曲接続部６２付近に流れ込む。排水溝部５０に流れ込んだ水は、排水溝３１の排水竪樋３５から排水される。また、排水溝部５０の水嵩が上がると、水がオーバーフロー管部５１を通じてパラペット２２の外部に排出される。なお、本実施の形態では、排水溝３１は、断面形状が略三角形であるため、排水溝３１に流れ込む雨水の量が少ない場合には水位が急激に上昇し、雨水の量が増加するのに従って水位の上昇が緩やかになる。従って、雨水の量が少ない場合であっても、十分な水位を確保でき、確実な排水を実現することが可能となる。
【００４０】
以上の実施の形態によれば、排水溝部５０の立上り部６３にオーバーフロー管部５１が形成されているので、パラペット２２の高さを低くしても、排水溝の排水性能を維持しつつオーバーフロー管部５１をパラペット２２の基部周辺に簡単かつ適正に設置できる。
【００４１】
排水溝部５０は、陸屋根上面２１の水勾配部３０の水下端部側からパラペット２２の基部に向けて低くなる傾斜部６１と、傾斜部６１と立上り部６３を滑らかに接続する湾曲接続部６２とを有し、傾斜部６１の傾斜は、水勾配部３０よりも急勾配に形成されている。これにより、簡易な構成で排水溝部５０を形成でき、オーバーフロー装置４１の設置を簡単に行うことができる。また、傾斜部６１により、陸屋根上面２１から排水溝部５０への水の誘導を適正に行うことができる。さらに傾斜部６１と立上り部６３を滑らかに接続する湾曲接続部５２により、排水溝部５０の清掃を容易に行うことができる。
【００４２】
オーバーフロー管部５１は、その流入口の下端部が傾斜部６１の上端部より僅かに高い位置より低くなるように設けられているので、排水溝部５０の水が陸屋根上面２１の水勾配部３０側に溢れて滞留するのを防止して、水の滞留による汚れの発生を防止できる。また、陸屋根上面２１で水勾配部３０全体を水没させるほどに水位が上昇してしまうことを防止して、水勾配部３０の水上側で水に足元を濡らすことなく歩行することが可能となる。
【００４３】
オーバーフロー管部５１の外周面の軸方向の中途部には、軸心から離間する方向に突出する鍔部７０ａが形成されているので、オーバーフロー管部５１がパラペット２２の貫通孔８１に取り付けられる際に、貫通孔８１とオーバーフロー管部５１との間に充填するシーリング材Ａを鍔部７０ａで受け止めることができる。この結果、シーリング材Ａを貫通孔８１の奥まで充填する必要がなく、オーバーフロー管部５１の取り付けが容易になる。また、シーリング材Ａの消費量を低減できる。
【００４４】
オーバーフロー管部５１は、排水溝部５０の立上り部６３の上端部に形成される孔部７０と、当該孔部７０に対して軸方向に連結可能な管部本体７１、グレーチング部７２及びエンドキャップ部７３により形成されているので、例えばオーバーフロー管部５１を成形する際に、排水溝部５０と一体成形する部分と別に成形する部分を分けることができ、オーバーフロー管部５１が複雑な形状を有する場合であっても適正に成形できる。また、これによりオーバーフロー管部５１の設置も容易に行うことができる。
【００４５】
以上の実施の形態では、排水溝部５０が傾斜部６１を有するものであったが、傾斜部６１を有さないような他の構成のものにも本発明は適用できる。
【００４６】
以上の実施の形態では、排水溝３１が、パラペット２２の長手方向に水平のいわゆる零勾配のものであったが、勾配を有するものであってよい。また、以上の実施の形態では、陸屋根１０の排水構造１であったが、本発明は、他の外部床、例えばヒトが歩行可能な程度に水勾配を有する下屋の屋根部等の他の陸屋根や、屋根のないバルコニーを含むベランダの排水構造に適用してもよい。なお、ベランダには、屋根のあるものとないものの両方が含まれる。
【００４７】
また、以上の実施の形態において排水される水は、雨水に限定されるものではなく、陸屋根上面やベランダの床面に屋上緑化のための人工緑地を構成したような場合には、この人工緑地に散水したときの水や積雪が溶け出して形成される水等や、陸屋根上面やベランダの床面で歩行者がこぼした飲料等、陸屋根やベランダに流れ込む可能性を有する全ての液体を含むものである。
【００４８】
以上、添付図面を参照しながら本発明の好適な実施の形態について説明したが、本発明はかかる例に限定されない。当業者であれば、特許請求の範囲に記載された思想の範疇内において、各種の変更例または修正例に相到し得ることは明らかであり、それらについても当然に本発明の技術的範囲に属するものと了解される。
【図面の簡単な説明】
【００４９】
【図１−ａ】陸屋根の排水構造の一例を示す模式図である。
【図１−ｂ】陸屋根の排水構造の一例を示す模式図である。
【図２】パラペット側の排水溝の構成の概略を示す説明図である。
【図３】オーバーフロー装置の斜視図である。
【図４】オーバーフロー装置の設置例を示す縦断面の説明図である。
【図５】オーバーフロー管部の構成の説明図である。
【符号の説明】
【００５０】
１  排水構造
１０  陸屋根
２２  パラペット
３０  水勾配部
３１  排水溝
４０  排水溝形成部材
４１  オーバーフロー装置
５０  排水溝部
５１  オーバーフロー管部
６０  平坦部
６１  傾斜部
６２  湾曲接続部
６３  立上り部
【図１−ａ】
2010043410.tif 000003
【図１−ｂ】
2010043410.tif 000004
【図２】
2010043410.tif 000005
【図３】
2010043410.tif 000006
【図４】
2010043410.tif 000007
【図５】
2010043410.tif 000008